(57)【要約】      （修正有）【課題】口元を広く覆うことができ、コンパクトに収納でき、衛生的に優れたマスクを提供する。【解決手段】マスク本体２と、マスク本体２に連結する２つの掛け紐３ｂから成り、マスク本体２は、複数のプリーツ部２１と、マスク内側への上端折り返し部２３と、マスク内側への下端折り返し部２４を備え、マスク本体２、上端折り返し部２３及び下端折り返し部２４により、包み部が形成されている。上端折り返し部２３と下端折り返し部２４の上下の幅の和は、マスク本体２の上下の幅の和と同等又はより大きく形成される。包み部に、汚れ防止用使い捨てシートが収容されてもよい。具体的には、マスク本体２の上下の幅が４〜６ｃｍである。【選択図】図４
0003227648.tif 000002
【実用新案登録請求の範囲】
【請求項１】
マスク本体と、前記マスク本体に連結する２つの掛け紐から成り、
マスク本体は、
複数のプリーツ部と、
マスク内側への上端折り返し部と、
マスク内側への下端折り返し部、
を備え、
前記マスク本体、上端折り返し部及び下端折り返し部により、包み部が形成されることを特徴とする細型収納マスク。
【請求項２】
前記上端折り返し部と下端折り返し部の上下の幅の和は、前記マスク本体の上下の幅の和と同等又はより大きく形成されることを特徴とする請求項１の細型収納マスク。
【請求項３】
前記包み部に、汚れ防止用使い捨てシートが収容されたことを特徴とする請求項１又は２の細型収納マスク。
【請求項４】
前記マスク本体の上下の幅が４〜６ｃｍであることを特徴とする請求項１〜３の何れかの細型収納マスク。
【考案の詳細な説明】
【技術分野】
【０００１】
本考案は、使用者の口元を覆うマスクに関するものである。
【背景技術】
【０００２】
従来から、プリーツ型のマスクが知られている。これは、マスク本体にプリーツが形成されることにより、着用時にはマスク本体を上下に広げ、口元を広く覆うことができ、また使用者の呼吸空間を確保しやすい構造とされたものである。
また、マスク本体の上端及び下端に折り返し部が設けられた折り返し型マスクも知られている（例えば、特許文献１を参照。）。折り返し型マスクは、上下の折り返し部を開くことで使用者の口元を広く覆うことができるものである。
【０００３】
従来のプリーツ型マスクでは、マスク本体にプリーツが形成されているため、更に折り返し部を設ける必要はないと考えられてきた。また一方、折り返し型マスクでは、折り返し部が設けられているため、更にプリーツが形成されなくても、使用者の口元を被覆でき、十分な呼吸空間も確保できるものと考えられてきた。
しかしながら、プリーツ型マスクでは、折り返し部が設けられないため、呼吸空間を確保しつつ顔面にフィットさせるために、ある程度の上下幅が必要となる。また、折り返し型マスクにおいても、プリーツが形成されないため、同じくマスク本体に、ある程度の上下幅が必要となる。
すなわち、これまではマスク本体の上下幅を小さくするというニーズについては十分な考慮がなされていなかった。
【先行技術文献】
【特許文献】
【０００４】
【特許文献１】実用新案登録第３１９２５８９号公報
【考案の概要】
【考案が解決しようとする課題】
【０００５】
複数枚のマスクが収容されたケースを鞄やポケットに収納して携帯し、必要に応じて取り出して使用する場合には、取り出し口が狭く設けられることが衛生上の観点から望ましいといえる。
本考案者らは、使用前において細長い形状を呈したマスクを作製することができれば、細型のケースに容易に収納でき、衛生的に優れたマスクを提供できるとの知見を得た。
上記状況に鑑みて、本考案は、口元を広く覆うことができ、コンパクトに収納でき、衛生的に優れたマスクを提供することを目的とする。
【課題を解決するための手段】
【０００６】
上記目的を達成すべく、本考案の細型収納マスクは、マスク本体と、マスク本体に連結する２つの掛け紐から成り、マスク本体は、複数のプリーツ部が形成され、上端部には、内側への上端折り返し部が設けられ、下端部には、内側への下端折り返し部が設けられる。
複数のプリーツ部が形成され、更に上端折り返し部及び下端折り返し部が設けられることにより、着用時に使用者の口元を広く覆うことができる。また、非使用時においては、細型でコンパクトに収納でき、口元を覆う部分が内部に隠れることから衛生的に優れる。ここで、マスク本体は、不織布で形成されることが好ましいが、綿布などで形成されることでもよい。
【０００７】
本考案の細型収納マスクにおいて、上端折り返し部と下端折り返し部の上下の幅の和は、マスク本体の上下の幅の和と同等又はより大きく、マスク本体、上端折り返し部及び下端折り返し部により、包み部が形成されることが好ましい。包み部が形成されることにより、使用時において顔への接触面となる包み部内面が露出しない状態で保管することができ、衛生的な利用が可能となる。
【０００８】
本考案の細型収納マスクにおいて、包み部には、汚れ防止用使い捨てシートが収容されることでもよい。使用時に口に当たる部分がポケット機能になり、またマスク内側に汚れ防止の紙など差し込んでも使用時に落下しない。
【０００９】
本考案の細型収納マスクのマスク本体の上下の幅は、具体的には、４〜６ｃｍであり、市販されているマスクの上下幅（通常、９ｃｍ超）に比べて１／２〜２／３と細く、コンパクトな形状であり収納性に優れる。
【考案の効果】
【００１０】
本考案のマスクによれば、口元を広く覆うことができ、コンパクトに収納でき、衛生的に優れるといった効果を有する。
【図面の簡単な説明】
【００１１】
【図１】実施例１の細型収納マスクの正面図
【図２】実施例１の細型収納マスクの背面図
【図３】実施例１の細型収納マスクの機能説明図
【図４】実施例１の細型収納マスクの使用イメージ図
【図５】実施例１の細型収納マスクの収納イメージ図
【図６】実施例２の細型収納マスク本体の背面図
【考案を実施するための最良の形態】
【００１２】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１３】
図１は、実施例１の細型収納マスクの正面図を示している。図１に示すように、細型収納マスク１は、マスク本体２と、マスク本体２に連結する２つの掛け紐（３ａ，３ｂ）から成る。
マスク本体２は、２箇所のプリーツ部２１が形成され、着用時に呼吸空間を確保できる構造となっている。図１では、プリーツ部２１が形成される箇所は２箇所であるが、３箇所，４箇所であってもよく２箇所に限られるものではない。
マスク本体２の左右端部は、間隙を設けて縫合され、掛け紐（３ａ，３ｂ）を挿通するために筒部（２２ａ，２２ｂ）が形成されている。また、掛け紐（３ａ，３ｂ）は伸縮性のある弾性素材で形成されている。
【００１４】
図２は、実施例１の細型収納マスクの背面図であり、（１）は掛け紐が取り付けられた状態、（２）は説明の都合上、掛け紐の図示を省略した状態を示している。図２（１）に示すように、細型収納マスク１の背面側には、マスク本体２の上端部が折り返された上端折り返し部２３と、マスク本体２の下端部が折り返された下端折り返し部２４が設けられている。図２（２）に示すように、上端折り返し部２３の幅Ｗ２及び下端折り返し部２４の幅Ｗ３は、何れもマスク本体２のＷ１の略２分の１のサイズとなっており、上端折り返し部２３の端部２３ａと下端折り返し部２４の端部２４ａは、非使用時の平面状態において隙間なく当接する構造となっている。端部２３ａと端部２４ａが当接することにより、マスク本体２に包み部が形成される。
【００１５】
図３は、実施例１の細型収納マスクの機能説明図を示している。図３に示すように、マスク本体２に形成された包み部を上下に開いて使用する。具体的には、細型収納マスク１の上端折り返し部２３を上方に開き、下端折り返し部２４を下方に開いて使用する。顔面や口元との接触面２７は、使用時においては露出するが、図２に示すように、非使用時においては露出しない構造となっており、衛生的な利用が可能である。
【００１６】
図４は、実施例１の細型収納マスクの使用イメージ図を示している。図４に示すように、使用者４は、掛け紐３ｂを自身の左耳（図示せず）に掛けて使用する。また、図示しないが、同様に掛け紐３ａを自身の右耳に掛けて使用する。
マスク本体２については、上端折り返し部２３が鼻に掛かり、下端折り返し部２４が顎に掛かるように装着する。プリーツ部２１は、使用者４の顔のサイズに合わせて広げ、装着する。上端折り返し部２３及び下端折り返し部２４だけではなく、プリーツ部２１が形成されることにより、幅広い顔のサイズに適用可能である。
【００１７】
図５は、実施例１の細型収納マスクの収納イメージ図であり、（１）は収納前、（２）は収納後を示している。なお、掛け紐（３ａ，３ｂ）は図示していない。図５（１）に示すように、細型収納マスク１が細長い形状とされることにより、図５（２）に示すように、複数枚が積層された状態で、比較的幅の細い収納ケース５に収納することが可能である。また、取出口５１をより狭い形状とできるため、収納ケース５内への埃の侵入を防止できる。
【実施例２】
【００１８】
図６は、実施例２の細型収納マスク本体の背面図を示している。図６に示すように、マスク本体２ａでは、上端折り返し部２５の幅Ｗ２及び下端折り返し部２６の幅Ｗ３が、何れもマスク本体２ａの幅Ｗ１の２分の１より大きいサイズとなっており、上端折り返し部２５の端部２５ａと下端折り返し部２６の端部２６ａは、非使用時の平面状態において重なる構造となっている。端部２３ａと端部２４ａの幅をより大きく設けることにより、包み部内部への埃の侵入をより効果的に防止することができる。また、使用者の鼻や顎をより広く被覆することができる。
【産業上の利用可能性】
【００１９】
本考案は、使用者の口元を覆うマスクに有用である。
【符号の説明】
【００２０】
１  細型収納マスク
２，２ａ  マスク本体
３ａ，３ｂ  掛け紐
４  使用者
５  収納ケース
２１  プリーツ部
２２ａ，２２ｂ  筒部
２３，２５  上端折り返し部
２３ａ，２４ａ，２５ａ，２６ａ  端部
２４，２６  下端折り返し部
２７  接触面
５１  取出口
Ｗ１〜Ｗ３  幅
【図１】
0003227648.tif 000003
【図２】
0003227648.tif 000004
【図３】
0003227648.tif 000005
【図４】
0003227648.tif 000006
【図５】
0003227648.tif 000007
【図６】
0003227648.tif 000008